(57)【要約】【課題】竪樋の保持部と壁への固定部とを連結する連結桿の上面に雨水が滞留することを防ぎ、水捌け性を向上させ、かつ、意匠性にも優れた竪樋支持具を提供する。【解決手段】竪樋を保持する保持部３と、壁面Ｗに固定される固定部２と、該保持部３と固定部２とを連結する連結桿１とからなり、該連結桿１の上面はその水捌け性を向上させるため傾斜面から構成された竪樋支持具Ａ。好ましくは、上記連結桿１がその上面中央に稜線１１を有し、左右両側に水捌けをするために傾斜面１２、１３が配設された側断面略五角形とされる。上記連結桿１の下面中央部の長手方向に沿って尖端部１４を延設し、側断面略六角形とすることもできる。【選択図】図１
2008285949.tif 000002
【特許請求の範囲】
【請求項１】
竪樋を保持する保持部と、壁面に固定される固定部と、該保持部と固定部とを連結する連結桿とからなり、該連結桿の上面はその水捌け性を向上させるため傾斜面から構成された竪樋支持具。
【請求項２】
上記連結桿がその上面中央に稜線を有し、左右両側に水捌けをするために傾斜面が配設された側断面略五角形である請求項１に記載の竪樋支持具。
【請求項３】
上記連結桿がその下面中央部の長手方向に沿って尖端部を延設し、水切れ性を向上させた側断面略六角形である請求項２に記載の竪樋支持具。
【請求項４】
上記連結桿がその左右側端面側の下端の長手方向に沿ってそれぞれ尖端部を延設し、水切れ性を向上させた側断面略矢羽形である請求項２に記載の竪樋支持具。
【発明の詳細な説明】
【技術分野】
【０００１】
本発明は、竪樋支持具に関する。さらに詳しくは、建物の壁や柱に固定され、竪樋を支持する竪樋支持具の構造に関する。
【背景技術】
【０００２】
従来、上記竪樋支持具については種々の形状のものが知られており、例えば、下記特許文献１には、建物の壁面に当接固定される固定部材に、竪樋を支持する支持部材を係合保持した竪樋支持具において、固定部材に略水平に突出した柱状の係合部と、係合部の下側に凹部を突出方向に沿って複数個設けるとともに、支持部材に略水平に突出した係合部の上面及び側面を覆う被係合部と、被係合部の開口側に被係合部の突出方向と略同方向に突出した棒状の取付部と、取付部の端部に凹部に係合される取付片を設け、固定部材と支持部材とが係合部と被係合部とで係合されるとともに、選択されるいずれかの凹部と取付片とで係合保持されるようになしたことを特徴とする竪樋支持具が提案されている。
【０００３】
ところで、近年、建物の外壁には種々のデザインのものが使用されるようになってきている。例えば、壁面が凹凸状となっているものも一般的に使用されており、壁面に固定される固定部は不陸部があってもしっかりと壁面に固定できるように二カ所にビス孔を穿ち、ビス固定するいわゆるＴ型部材を用いることが多い。上記固定部は、竪樋を保持する保持部と連結桿によって連結され、竪樋支持具を形成する。
【特許文献１】特開２００６−２２６０８１号公報（第１〜４頁、第１図、第２図）
【発明の開示】
【発明が解決しようとする課題】
【０００４】
本願図７は、上記公知の竪樋支持具Ｂを示す斜視図である。本願図７に示すように、公知の竪樋支持具Ｂは、竪樋を保持する保持部３と、壁に固定するビスを挿通させるビス孔２１を穿ったＴ型の固定部２と、上記保持部３と固定部２とを連結する連結桿４とからなっている。しかしながら、上記連結桿４の上面は平坦となっているため、溜まった雨水が滞り、白化や変色の原因となるという問題がある。
【０００５】
本発明はこのような問題を解決して上記連結桿に雨水が滞留することなく、水捌け性を向上させるとともに、連結桿の下面からの水切れ性も向上させ、かつ、意匠性にも優れた竪樋支持具を提供することを、その課題とする。
【課題を解決するための手段】
【０００６】
上記課題を解決するため、本発明においては、つぎのような技術的手段を講じている。すなわち、請求項１に記載の発明によれば、竪樋を保持する保持部と、壁面に固定される固定部と、該保持部と固定部とを連結する連結桿とからなり、該連結桿の上面はその水捌け性を向上させるため傾斜面から構成された竪樋支持具が提供される。上記固定部と保持部、および該固定部と保持部とを連結する連結桿とは塩化ビニル樹脂、メタクリル樹脂等の硬質で剛性に優れた合成樹脂を一体成形して用いることが好ましい。また、竪樋本体としてはとくに限定されず、断面円形の円樋、角樋等が用いられる。また、その材質としては、例えば、塩化ビニル樹脂等の合成樹脂があげられる。
【０００７】
請求項２に記載の竪樋支持具は、請求項１に記載の発明に加えて、上記連結桿は、その上面中央に稜線を有し、左右両側に水捌けをするために傾斜面が配設された側断面略五角形のものとされる。
【０００８】
請求項３に記載の竪樋支持具は、請求項２に記載の発明に加えて、上記連結桿は、その下面中央部の長手方向に沿って尖端部を延設し、水切れ性を向上させた側断面略六角形のものとされる。
【０００９】
請求項４に記載の竪樋支持具は、請求項２に記載の発明に加えて、上記連結桿は、その左右側端面側の下端の長手方向に沿ってそれぞれ尖端部を延設し、水切れ性を向上させた側断面略矢羽形のものとされる。
【発明の効果】
【００１０】
請求項１に記載の発明にかかる竪樋支持具は上記のとおりであり、壁に固定される固定部と、竪樋を保持する保持部と該固定部と保持部とを連結する連結桿とからなり、該連結桿の上面はその水捌け性を向上させるため傾斜面から構成されているため、上面に溜まった雨水が滞留することなく、流れ落ち、連結桿の白化や変色を防ぐことができる。
【００１１】
請求項２に記載の竪樋支持具は上記のとおりであり、請求項１の竪樋支持具の有する効果に加え、上記連結桿は、その上面中央に稜線を有し、左右両側に水捌けをするために傾斜面が配設された側断面略五角形であるため、連結桿上面に降った雨水は稜線を境にして左右に分流するため、水捌け性が向上するとともに、意匠性にも優れたものとなる。
【００１２】
請求項３に記載の竪樋支持具は上記のとおりであり、請求項２の竪樋支持具の有する効果に加え、上記連結桿は、側断面略六角形とされるとともに、その下面中央部の長手方向に沿って尖端部が延設され、連結桿の上面から伝わり落ちた水はこの尖端部から水切れ性よく滴下するため、連結桿の上面に水が滞留することなく、連結桿の白化や変色を防ぐことができる。また、意匠性にも優れたものとなる。
【００１３】
請求項４に記載の竪樋支持具は上記のとおりであり、請求項２の竪樋支持具の有する効果に加え、上記連結桿は、側断面略矢羽形とされるとともに、その左右側端面側の下端の長手方向に沿ってそれぞれ尖端部を延設され、連結桿の上面から伝わり落ちた水は２個の尖端部から水切れ性よく滴下するため、連結桿の上面に水が滞留することなく、連結桿の白化や変色を防ぐことができる。また、意匠性にも優れたものとなる。
【発明を実施するための最良の形態】
【００１４】
以下、本発明の竪樋支持具の実施形態について図面を参照して詳細に説明する。図１は上記竪樋支持具Ａを示す斜視図である。図１に示すように、上記竪樋支持具Ａは、図外竪樋を保持する保持部３と、不陸部があってもしっかりと壁面に固定できるようにビス孔２１が２個穿設され、ビス固定されるＴ型の固定部２と、上記保持部３と固定部２とを連結する連結桿１とからなり、上記連結桿１の上面中央には稜線１１が形成され、左右両側に水捌けをよくするための左傾斜面１２および右傾斜面１３が配設されている。
【００１５】
図２は上記図１におけるＸ−Ｘ線に沿う断面図であり、連結桿１は側断面略五角形とされている。図２に示されているように、上から降った雨水は稜線１１で分水して左傾斜面１２と右傾斜面１３とに別れて流れ、連結桿１の上面に滞ることなく、各傾斜面に沿って速やかに水捌けされる。したがって、連結桿１の上面における滞留水に起因する白化や変色を防ぐことができる。また、意匠性にも優れたものとなる。
【００１６】
図３は上記実施形態の第１変形例を示す断面図である。第１変形例においては、上記連結桿１の下面中央部の長手方向に沿って水切れ性を向上させるための尖端部１４が延設され、側断面略六角形とされている。図４は、図３に示す第１変形例の竪樋支持具に降りかかる雨水の流れを示す説明図である。図４に示すように、上から降った雨は稜線１１で分水し各傾斜面に沿って水捌けされた後、左右両側端面に沿って流下する。大部分の水は、そのまま、左右両側端面の下端から重力によって落下するが、落下しなかった水は、上記連結桿１の下面を伝って中央の尖端部１４に集まり、表面張力により水滴ｄを形成する。
【００１７】
上記尖端部１４と水滴ｄとの間には界面力が働くが、水滴ｄの重さが上記界面力に打ち勝つと水滴ｄは自重により滴下する。このようにして、連結桿１の上面に降りかかり、左右両側端面に沿って流下し、重力によりそのまま地上に落下しなかった水は、連結桿１の下面に水切り用の尖端部１４を形成することによって表面張力で水滴ｄとなってつぎつぎと滴下するため、連結桿１の上面の水捌け性はよくなり、滞留水による上面の白化や変色を防ぐことができる。
【００１８】
図５は、上記実施形態の第２変形例を示す断面図である。第２変形例においては、上記連結桿１の左右側端面側の下端の長手方向に沿ってそれぞれ左尖端部１５および右尖端部１６が延設され、側断面略矢羽形とされている。上記左尖端部１５と右尖端部１６とからは、図４に説明した場合と同様にして水滴がつぎつぎと形成されて滴下し、連結桿１の上面の水捌け性はよくなり、滞留水による上面の白化や変色を防ぐことができる。
【００１９】
図６は、本発明の実施形態の第１変形例にかかる竪樋支持具Ａを用い、竪樋５を不陸のある壁面Ｗに固定用ビス６を用いて固定した状態を示す部分断面斜視図である。図６に示されているように、上記竪樋支持具Ａを用いることにより、竪樋５をデザイン性よく、しっかりと壁面Ｗに取り付けることができる。なお、本実施形態においては竪樋５として角樋を用いた場合を例示したが、角樋に限られず円樋を用いることも可能である。このように、本発明は種々設計変更可能であり、特許請求の範囲を逸脱しない限り、いずれも本発明の技術的範囲に属する。
【図面の簡単な説明】
【００２０】
【図１】本発明にかかる竪樋支持具の実施形態を示す斜視図である。
【図２】図１におけるＸ−Ｘ線に沿う断面図である。
【図３】本発明の実施形態の第１変形例を示す断面図である。
【図４】上記第１変形例の竪樋支持具に降る雨水の流れを示す説明図である。
【図５】本発明の実施形態の第２変形例を示す断面図である。
【図６】本発明の実施形態の第１変形例にかかる竪樋支持具を用い竪樋を壁面に固定した状態を示す部分断面斜視図である。
【図７】公知の竪樋支持具を示す斜視図である。
【符号の説明】
【００２１】
Ａ          本発明の実施形態にかかる竪樋支持具
Ｂ          公知の竪樋支持具
Ｗ          壁面
ｄ          水滴
１          連結桿
１１        稜線
１２        左傾斜面
１３        右傾斜面
１４        尖端部
１５        左尖端部
１６        右尖端部
２          固定部
２１        ビス孔
３          保持部
４          公知の連結桿
５          竪樋
６          固定用ビス
【図１】
2008285949.tif 000003
【図２】
2008285949.tif 000004
【図３】
2008285949.tif 000005
【図４】
2008285949.tif 000006
【図５】
2008285949.tif 000007
【図６】
2008285949.tif 000008
【図７】
2008285949.tif 000009